(57)【要約】【課題】  仮設ハウスの外壁材と水平パネルとの間に生ずる間隙に対し、組み立ておよび解体が可能かつ容易である間隙閉塞構造およびそれを可能にする間隙閉塞部材を提供する。【解決手段】  水平パネル３の端縁を鉄骨柱２の内側表面に当接するように配置するとき、水平パネルと外壁材１との間に生ずる隙間に、間隙防止部材４，１０４を配置する間隙閉塞構造である。第一の間隙閉塞部材４は、外壁材１に当接する表面を有する基準片４１と、この基準片から直交方向に延出する水平片４２と、この水平片の下面側適宜位置から基準片の一端と同じ方向に向かって延出して水平パネルの端縁に当接する端縁当接片４３と、断面略コ字形に成形された張出片４４とで構成されている。第二の間隙閉塞部材１０４は、断面略コ字形かつ開口側先端に向かって徐々に狭幅となるように構成している。【選択図】  図６
2007327245.tif 000002
【特許請求の範囲】
【請求項１】
横断面形状略Ｈ形の鉄骨柱を縦方向に開口する側を対向させつつ適宜間隔で配置し、これらの鉄骨柱の開口部によって外壁材の両端を支持して周辺構造を形成してなる仮設ハウスにおいて、床パネルまたは天井パネルの端縁を上記鉄骨柱の内側表面に当接するように配置するとき、該床パネルまたは天井パネルと上記外壁材との間に生ずる隙間に対し、間隙閉塞部材を配置してなる間隙閉塞構造であって、上記間隙閉塞部材は、上記外壁材に当接する表面を有する基準片と、この基準片から直交方向に延出する水平片と、この水平片の下面側適宜位置から上記基準片の一端と同じ方向に向かって延出して上記床パネルまたは天井パネルの端縁に当接する端縁当接片と、上記基準片の他端付近から水平片に向かって張り出すように構成された断面略コ字形の張出片とで構成され、上記端縁当接片および基準片が両先端に向かって徐々に幅広となるように構成されてなる間隙閉塞部材であり、この間隙閉塞部材の上記基準片を上記外壁材の内側に向けつつ該外壁材と上記床パネルまたは天井パネルとの間に侵入させることにより間隙を閉塞してなることを特徴とする仮設ハウスにおける間隙閉塞構造。
【請求項２】
横断面形状略Ｈ形の鉄骨柱を縦方向に開口する側を対向させつつ適宜間隔で配置し、これらの鉄骨柱の開口部によって外壁材の両端を支持して周辺構造を形成してなる仮設ハウスにおいて、床パネルまたは天井パネルの端縁を上記鉄骨柱の内側表面に当接するように配置するとき、該床パネルまたは天井パネルと上記外壁材との間に生ずる隙間に対し、間隙閉塞部材を配置してなる間隙閉塞構造であって、上記間隙閉塞部材は、所定の長さを有する断面略コ字形かつ開口側先端に向かって徐々に狭幅となるように構成してなる間隙閉塞部材であり、上記床パネルまたは天井パネルの端縁を上記間隙閉塞部材の開口側から侵入させ、該床パネルまたは天井パネルの端縁のうち、上記外壁材の内側に当接する範囲において上記間隙閉塞部材が該床パネルまたは天井パネルの端縁から突出するように装着し、この突出した端部を上記外壁材の内側表面に当接させてなることを特徴とする仮設ハウスにおける間隙閉塞構造。
【請求項３】
横断面形状略Ｈ形の鉄骨柱を縦方向に開口する側を対向させつつ適宜間隔で配置し、これらの鉄骨柱の開口部によって外壁材の両端を支持して周辺構造を形成してなる仮設ハウスにおいて、床パネルおよび天井パネルの端縁を上記鉄骨柱の内側表面に当接するように配置するとき、該床パネルおよび天井パネルと上記外壁材との間に生ずる隙間に対し、間隙閉塞部材を配置してなる間隙閉塞構造であって、
床パネル用の間隙閉塞部材は、上記外壁材に当接する表面を有する基準片と、この基準片から直交方向に延出する水平片と、この水平片の下面側適宜位置から上記基準片の一端と同じ方向に向かって延出して上記床パネルおよび天井パネルの端縁に当接する端縁当接片と、上記基準片の他端付近から水平片に向かって張り出すように構成された断面略コ字形の張出片とで構成され、上記端縁当接片および基準片が両先端に向かって徐々に幅広となるように構成されてなる床パネル用間隙閉塞部材であり、
天井パネル用の間隙閉塞部材は、所定の長さを有する断面略コ字形かつ開口側先端に向かって徐々に狭幅となるように構成してなる天井パネル用間隙閉塞部材であり、
上記床パネル用間隙閉塞部材の上記基準片を上記外壁材の内側に向けつつ該外壁材と上記床パネルとの間に侵入させることにより両者間に発生する間隙を閉塞し、
上記天井パネルの端縁を上記天井パネル用間隙閉塞部材の開口側から侵入させ、該天井パネルの端縁のうち、上記外壁材の内側に当接する範囲において上記天井パネル用間隙閉塞部材を該天井パネルの端縁から突出するように装着し、この突出した端部を上記外壁材の内側表面に当接させることにより外壁材と天井パネルとの間に発生する間隙を閉塞してなることを特徴とする仮設ハウスにおける間隙閉塞構造。
【請求項４】
横断面形状略Ｈ形の鉄骨柱を縦方向に開口する側を対向させつつ適宜間隔で配置し、これらの鉄骨柱の開口部によって外壁材の両端を支持して周辺構造を形成し、上記鉄骨柱の内側表面に端縁を当接するように床パネルを配置してなる仮設ハウスにおいて、上記外壁材に当接する表面を有する基準片と、この基準片から直交方向に延出する水平片と、この水平片の下面側適宜位置から上記基準片の一端と同じ方向に向かって延出して上記床パネルおよび天井パネルの端縁に当接する端縁当接片と、上記基準片の他端付近から水平片に向かって張り出すように構成された断面略コ字形の張出片とで構成され、上記端縁当接片および基準片が両先端に向かって徐々に幅広となるように構成してなることを特徴とする間隙閉塞部材。
【請求項５】
前記基準片および端縁当接片は、その先端近傍を両先端が対向する方向に折曲して構成されている請求項４記載の間隙閉塞部材。
【請求項６】
前記水平片は、前記端縁当接片が設けられる位置よりも先端側が床パネルの表面に当接するように構成されてなる請求項４または５に記載の間隙閉塞部材。
【請求項７】
前記張出片は、水平片から適宜間隔を有して設けられ、把手として機能するものである請求項４ないし６のいずれかに記載の間隙閉塞部材。
【請求項８】
前記端縁当接片は、前記床パネルの端縁に当接する側の表面に突起部を形成してなる請求項４ないし７のいずれかに記載の間隙閉塞部材。
【請求項９】
横断面形状略Ｈ形の鉄骨柱を縦方向に開口する側を対向させつつ適宜間隔で配置し、これらの鉄骨柱の開口部によって外壁材の両端を支持して周辺構造を形成し、上記鉄骨柱の内側表面に端縁を当接するように天井パネルを配置してなる仮設ハウスにおいて、上記天井パネルの端縁のうち、鉄骨柱に当接しない範囲に装着される間隙閉塞部材であって、上記鉄骨柱に当接しない範囲に相当する長さを有するとともに、断面略コ字形かつ開口側先端に向かって徐々に狭幅となるように構成してなることを特徴とする間隙閉塞部材。
【発明の詳細な説明】
【技術分野】
【０００１】
本発明は、仮設ハウスにおける間隙閉塞構造および当該間隙閉塞構造の実現のために使用する間隙閉塞部材に関するものである。
【背景技術】
【０００２】
従来は、仮設ハウスのみならず、あらゆる建造物において、壁材と床材または天井材との間に隙間が発生し、または発生するおそれがある場合には、巾木または廻り縁と呼ばれる部材が使用されていた（特許文献１ないし３参照）。
【０００３】
上記発明によれば、巾木に関する技術にあっては、壁材と床材とのコーナー部分に巾木を設置するために床下地材に巾木固定金物を設置する構造であるもの（特許文献１）、または、脚部材を床材と壁材との隙間に設置し、床材と壁材のコーナー部分に閉塞部材を配置するとともに、この閉塞部材を上記脚部材によって係止するもの（特許文献２）であり、他方、廻り縁に関する技術にあっては、受け部材に係止された額縁材にパネル材を支持させる構造のもの（特許文献３）であった。
【特許文献１】特開２００２−１６７９５５号公報
【特許文献２】特開２００４−６８３２４号公報
【特許文献３】特開２００１−１４０４５９号公報
【発明の開示】
【発明が解決しようとする課題】
【０００４】
上記のような巾木または廻り縁に関する技術は、いずれも巾木または廻り縁を強固に取り付けることを目的するものであるため、仮設ハウス等のように組み立ておよび解体を繰り返すような目的には不向きなものであった。また、仮に解体が可能であるとしても、解体後における当該巾木または廻り縁を他の仮設ハウス等で再度使用することは予定されていなかった。
【０００５】
しかしながら、仮設ハウスのように、短期間のみ組み立て後日解体し、さらに他の場所で再度組み立てるような目的の建物においては、組み立てが容易であるうえに再利用可能であることが要求されるものであった。そこで、巾木または廻り縁と同様の効果を有した間隙の閉塞を可能にする構造および当該構造を実現するための間隙閉塞部材が切望されていた。
【０００６】
本発明は、上記諸点にかんがみてなされたものであって、その目的とするところは、仮設ハウスの外壁材と床パネルまたは天井パネルとの間に生ずる間隙に対し、組み立ておよび解体が可能かつ容易である間隙閉塞構造を提供すること、および当該構造を可能にする間隙閉塞部材を提供することである。
【課題を解決するための手段】
【０００７】
そこで、本発明は、横断面形状略Ｈ形の鉄骨柱を縦方向に開口する側を対向させつつ適宜間隔で配置し、これらの鉄骨柱の開口部によって外壁材の両端を支持して周辺構造を形成してなる仮設ハウスにおいて、床パネルまたは天井パネルの端縁を上記鉄骨柱の内側表面に当接するように配置するとき、該床パネルまたは天井パネルと上記外壁材との間に生ずる隙間に対し、間隙防止部材を配置してなる間隙閉塞構造であって、上記間隙閉塞部材は、上記外壁材に当接する表面を有する基準片と、この基準片から直交方向に延出する水平片と、この水平片の下面側適宜位置から上記基準片の一端と同じ方向に向かって延出して上記床パネルまたは天井パネルの端縁に当接する端縁当接片と、上記基準片の他端付近から水平片に向かって張り出すように構成された断面略コ字形の張出片とで構成され、上記端縁当接片および基準片が両先端に向かって徐々に幅広となるように構成されてなる間隙閉塞部材であり、この間隙閉塞部材の上記基準片を上記外壁材の内側に向けつつ該外壁材と上記床パネルまたは天井パネルとの間に侵入させることにより間隙を閉塞してなることを特徴とする仮設ハウスにおける間隙閉塞構造を要旨としている。
【０００８】
上記構成によれば、仮設ハウスの構造上、鉄骨柱の表面が外壁材よりも突出し、この表面に床パネルまたは天井パネルを当接させて設置する場合、床パネルまたは天井パネルの端縁と外壁材の内側表面との間に間隙が発生することとなるが、このときに発生する間隙に対し、基準片と端縁当接片を侵入させることにより、間隙閉塞部材は当該間隙内において狭持され、これとともに、基準片の表面が外壁材の内側に、水平面の表面が床パネルまたは天井パネルの縁部近傍の表面に存在することとなり、両者間に生ずる間隙を閉塞することができることとなる。そして、解体時における取り外しにおいては、間隙内に侵入させた基準片と端縁当接片とを当該間隙内から引き出すことにより容易に離脱させ得るものである。
【０００９】
また、本発明は、横断面形状略Ｈ形の鉄骨柱を縦方向に開口する側を対向させつつ適宜間隔で配置し、これらの鉄骨柱の開口部によって外壁材の両端を支持して周辺構造を形成してなる仮設ハウスにおいて、床パネルまたは天井パネルの端縁を上記鉄骨柱の内側表面に当接するように配置するとき、該床パネルまたは天井パネルと上記外壁材との間に生ずる隙間に対し、間隙閉塞部材を配置してなる間隙閉塞構造であって、上記間隙閉塞部材は、所定の長さを有する断面略コ字形かつ開口側先端に向かって徐々に狭幅となるように構成してなる間隙閉塞部材であり、上記床パネルまたは天井パネルの端縁を上記間隙閉塞部材の開口側から侵入させ、該床パネルまたは天井パネルの端縁のうち、上記外壁材の内側に当接する範囲において上記間隙閉塞部材が該床パネルまたは天井パネルの端縁から突出するように装着し、この突出した端部を上記外壁材の内側表面に当接させてなることを特徴とする仮設ハウスにおける間隙閉塞構造をも要旨としている。
【００１０】
上記構成によれば、間隙閉塞部材は、床パネルまたは天井パネルの端縁に装着した状態において、コ字形開口部により当該端縁近傍を狭持することとなり、床パネルまたは天井パネルの端縁から突出させるべき突出量を調整することができることとなる。従って、予め間隙閉塞部材を床パネルまたは天井パネルの端縁に装着し、当該床パネルまたは天井パネルを鉄骨柱に当接させつつ設置した後に、間隙閉塞部材の最も外方の部分を外壁材の内側表面に当接するように、当該間隙閉塞部材を摺動させることにより、外壁材との間で発生する間隙を閉塞することができる。
【００１１】
さらに、本発明は、横断面形状略Ｈ形の鉄骨柱を縦方向に開口する側を対向させつつ適宜間隔で配置し、これらの鉄骨柱の開口部によって外壁材の両端を支持して周辺構造を形成してなる仮設ハウスにおいて、床パネルおよび天井パネルの端縁を上記鉄骨柱の内側表面に当接するように配置するとき、該床パネルおよび天井パネルと上記外壁材との間に生ずる隙間に対し、間隙閉塞部材を配置してなる間隙閉塞構造であって、床パネル用の間隙閉塞部材は、上記外壁材に当接する表面を有する基準片と、この基準片から直交方向に延出する水平片と、この水平片の下面側適宜位置から上記基準片の一端と同じ方向に向かって延出して上記床パネルおよび天井パネルの端縁に当接する端縁当接片と、上記基準片の他端付近から水平片に向かって張り出すように構成された断面略コ字形の張出片とで構成され、上記端縁当接片および基準片が両先端に向かって徐々に幅広となるように構成されてなる床パネル用間隙閉塞部材であり、天井パネル用の間隙閉塞部材は、所定の長さを有する断面略コ字形かつ開口側先端に向かって徐々に狭幅となるように構成してなる天井パネル用間隙閉塞部材であり、上記床パネル用間隙閉塞部材の上記基準片を上記外壁材の内側に向けつつ該外壁材と上記床パネルとの間に侵入させることにより両者間に発生する間隙を閉塞し、上記天井パネルの端縁を上記天井パネル用間隙閉塞部材の開口側から侵入させ、該天井パネルの端縁のうち、上記外壁材の内側に当接する範囲において上記天井パネル用間隙閉塞部材を該天井パネルの端縁から突出するように装着し、この突出した端部を上記外壁材の内側表面に当接させることにより外壁材と天井パネルとの間に発生する間隙を閉塞してなることを特徴とする仮設ハウスにおける間隙閉塞構造をも要旨としている。
【００１２】
上記構成によれば、床パネルと外壁材との間に生ずる間隙は、床パネル用間隙閉塞部材によって閉塞され、天井パネルと外壁材との間に生ずる間隙は、天井パネル用間隙閉塞部材によって閉塞されることとなるから、使用時における使用者の歩行や移動により振動する床パネルの端縁には閉塞状態が固定化できるものとなり、天井パネルの端縁においては、当該天井パネルの設置後においても容易に間隙閉塞の調整が可能となる。
【００１３】
間隙閉塞部材に係る本発明は、横断面形状略Ｈ形の鉄骨柱を縦方向に開口する側を対向させつつ適宜間隔で配置し、これらの鉄骨柱の開口部によって外壁材の両端を支持して周辺構造を形成し、上記鉄骨柱の内側表面に端縁を当接するように床パネルを配置してなる仮設ハウスにおいて、上記外壁材に当接する表面を有する基準片と、この基準片から直交方向に延出する水平片と、この水平片の下面側適宜位置から上記基準片の一端と同じ方向に向かって延出して上記床パネルおよび天井パネルの端縁に当接する端縁当接片と、上記基準片の他端付近から水平片に向かって張り出すように構成された断面略コ字形の張出片とで構成され、上記端縁当接片および基準片が両先端に向かって徐々に幅広となるように構成してなることを特徴とする間隙閉塞部材を要旨としている。
【００１４】
上記構成によれば、床パネルと外壁材との間に生じる間隙に対し、基準片および端縁当接片を侵入させることにより、基準片が外壁材の内側表面に当接し、端縁当接片が床パネルの端縁に当接することとなって、当該間隙を閉鎖することができることとなる。このとき、端縁当接片は、基準片から先端に向かって徐々に幅広に構成されているため、当該端縁当接片が弾性変形することにより、所定の間隙内に侵入することができるものである。さらに、当該端縁当接片の復元力により基準片および端縁当接片は外壁材および床パネル端縁に強固に押圧されることとなり、間隙閉塞部材の装着状態は強固となる。また、張出部は、基準片から室内側に張り出した状態となるため、解体時においては、室内側から当該間隙閉塞部材の引き抜き作業の際に把手としての機能をも有し得ることとなる。
【００１５】
上記発明において、前記基準片および端縁当接片は、その先端近傍を両先端が対向する方向に折曲して構成することができる。これにより、端縁当接片を弾性変形させつつ間隙内に挿入する際においても、基準片または端縁当接片の先端が間隙内に円滑に挿入されることとなる。また、前記水平片は、前記端縁当接片が設けられる位置よりも先端側が床パネルの表面に当接するように構成することができる。これにより、水平片が、床パネルの端縁部を覆うように配置されることとなり、端縁部の目隠しとしても機能し、さらに、上述のとおり、端縁当接片を間隙内に侵入させる際に弾性変形することとなるため、当該弾性変形により水平片の表面が僅かに傾斜することとなり、室内における埃や塵が周辺すなわち間隙閉塞部材付近に移動する場合においても、上記水平片の傾斜により、塵等が室内側に案内されることとなるため、張出片と水平片の中間に集積することを防止できる。また、水平片は、下地材または床仕上げ材の有無またはそれらの厚さ寸法が異なる場合においても広く対応が可能となる。
【００１６】
また、上記発明において、前記張出片は、水平片から適宜間隔を有して設けられ、把手として機能するものとすることができる。また、前記端縁当接片は、前記床パネルの端縁に当接する側の表面に突起部を形成してなる構成とすることができる。この突起部により、端縁当接片が振動等により摺り動いて離脱することを防止できる。
【００１７】
さらに、間隙閉塞部材に係る発明は、横断面形状略Ｈ形の鉄骨柱を縦方向に開口する側を対向させつつ適宜間隔で配置し、これらの鉄骨柱の開口部によって外壁材の両端を支持して周辺構造を形成し、上記鉄骨柱の内側表面に端縁を当接するように天井パネルを配置してなる仮設ハウスにおいて、上記天井パネルの端縁のうち、鉄骨柱に当接しない範囲に装着される間隙閉塞部材であって、上記鉄骨柱に当接しない範囲に相当する長さを有するとともに、断面略コ字形かつ開口側先端に向かって徐々に狭幅となるように構成してなることを特徴とする間隙閉塞部材をも要旨としている。
【００１８】
上記構成によれば、断面略コ字形の間隙閉塞部材は、開口側から天井パネルの端縁を侵入させることにより、当該天井パネルの端縁に装着することができる。このときの装着状態は、断面略コ字形の開口部が天井パネルの表裏両面に当接しつつ弾性変形することによって狭持される状態であるから、両面上を摺動させることにより、装着位置および天井パネル端縁からの突出状態を調整することが可能となる。
【発明の効果】
【００１９】
本発明の間隙閉塞構造によれば、仮設ハウスにおける外壁材と床パネルまたは天井パネルとの間に発生する間隙を容易に閉塞することができる。しかも、間隙閉塞部材（床パネル用間隙閉塞部材および天井パネル用間隙閉塞部材を含む）により間隙を閉塞する構成であるため、本発明の間隙閉塞構造においては、その組み立ておよび解体が可能かつ容易である。さらに、本発明の間隙閉塞部材によれば、間隙に侵入することにより、または、端縁からの突出量を調整することにより、容易に間隙の閉塞が可能となり、上記間隙閉塞構造を実現し得ることができる。
【発明を実施するための最良の形態】
【００２０】
以下、本発明の実施の形態を図面に基づいて説明する。説明の便宜上、仮設ハウスの構造の概略を先に説明する。図１（ａ）は、仮設ハウスの外壁部分を平面視した状態の断面図であり、（ｂ）は、ＩＡ−ＩＡ断面図である。この図に示すように、外壁材１を支持するために横断面略Ｈ字形の鉄骨柱２が適宜間隔で立設されている。この鉄骨柱２は、上述のとおり横断面略Ｈ字形であるため、両側に開口部２０が形成され、この開口部２０に外壁材１の端部が侵入することによって、当該外壁材１が支持される構成となっている。また、当該外壁材１の肉厚寸法に合致するように、上記開口部２０の先端２１ａ，２１ｂ（２２ａ,２２ｂ）は互いに対向する向きに折曲され、その先端２１ａ，２１ｂ（２２ａ,２２ｂ）の間隔が支持すべき外壁材１の肉厚寸法に僅かな遊びを有して合致させている。
【００２１】
このような構成であるため、床パネルまたは天井パネル（両者を総称して水平パネルという）３を設置する場合、水平パネル３は、その端縁３１は鉄骨柱２の内側表面２３に当接する状態となり、隣接する鉄筋柱２，２との中間における外壁材１と水平パネル３との間には間隙Ｂが生ずることとなるのである。本発明は、上記の間隙Ｂを閉塞するための構造およびその構造を実現することのできる閉塞部材に関するものである。
【００２２】
まず、第一の間隙閉塞部材の実施形態について説明する。図２に示すように、本実施形態の間隙閉塞部材４は、適度な面積を有する板状の基準片４１と、この基準片４１から直交方向に延出する水平片４２と、この水平片４２の適宜位置から基準片４１の一端と同じ方向に延出する端縁当接片４３と、基準片の他端に構成された張出片４４とで構成されている。本実施形態では、プラスチック材料を一体成型して構成されており、端縁当接片は、間隙に侵入する際に弾性変形可能に構成されている。また、十分に図示されていないが、比較的長尺に構成され、上述の鉄筋柱２が設置される間隔により決定される間隙Ｂの発生する長さに合致した長さ寸法に構成されている。
【００２３】
そして、図３に示すように、張出片４４は、水平片４２が構成される側に向かって延出する部分４４ａを備えつつ、全体として略コ字形に折曲され、先端４４ｂは間隙閉塞部材４の上部において内向きに折曲されており、当該折曲部４４ｃが、基準片４１の表面４１ａと同じ平面上に位置するように構成されている。従って、外壁材１と水平パネル３との間の間隙Ｂに侵入させたとき、基準片４１の表面４１ａが外壁材１の内側表面に当接するとともに、上記張出片４４の折曲部４４ｃも同時に外壁材１の内側表面に当接するようになっている。このように、基準片４１と張出片４４の一部が同時に外壁材１の内側表面に当接することにより、装着時における間隙閉塞部材４の基本的姿勢が維持されることとなるのである。
【００２４】
他方、端縁当接片４３は、弾性変形可能に構成されており、間隙Ｂに侵入するとき、当該間隙Ｂの寸法に合致するまで弾性変形し、すなわち、基準片４１に接近するように変形し、異なる幅寸法の間隙であっても侵入が可能となっている。そして、この弾性変形により、端縁当接片４３には復元力が発生し、この復元力は基準片４１との間隔を広げようとするものであるため、間隙Ｂの内部においては、外壁材１の内側表面および水平パネル３の端縁を押圧することとなるのである。その結果として、基準片４１および端縁当接片４３は、それぞれ外壁材１および水平パネル３に強固に当接し、容易な離脱を防止することができるのである。なお、上記のような端縁当接片４３の弾性変形にともなって、水平片４２も僅かに傾斜するように変形することとなる。
【００２５】
本実施形態は、上記のような構成であることから、外壁材１と水平パネル３との間で発生する間隙Ｂに対しては、上記間隙閉塞部材４を、その基準片４１の先端４１ｂおよび端縁当接片４３の先端４３ｂから間隙Ｂに侵入させることにより装着が可能となる。ここで、図示（図３）のとおり、両先端４１ｂ,４３ｂの近傍は、ともに対向方向に湾曲（または折曲）しており、両先端４１ｂ,４３ｂが外壁材１または水平パネル３の表面または端縁に接触することなく、侵入を円滑にしている。そして、端縁当接片４３の湾曲部（または折曲部）の表面４３ａが水平パネル３の端縁３１に当接するとき、当該端縁当接片４３が弾性変形を開始することとなるのである。このように、端縁当接片４３を弾性変形させつつ十分に両者を侵入させることにより、水平片４２が水平パネル３の表面３２に当接することとなり、この状態で侵入は限界となり、装着を完了することとなる。
【００２６】
また、上記の装着状態から間隙閉塞部材４を離脱させるときは、張出片４４を上向きに引き上げることによることとなる。すなわち、当該張出片４４には、上述のとおり、水平片４２と同じ向きに延出する部分４４ａが存在するため、水平片４２と当該延出部分４４ａとの中間に作業者の指または器具等を引っ掛けることにより、上向きに引き上げる力を間隙閉塞部材４に作用させることができるのである。そして、このような引き上げにより、当該間隙閉塞部材４を容易に引き上げることができ、その離脱を簡便にしている。これは、仮設ハウスの解体時の作業性を向上させることとなるものである。
【００２７】
次に、第二の間隙閉塞部材の実施形態について説明する。図４に示すように、本実施形態の間隙閉塞部材１０４は、断面略コ字形に成形された比較的長尺な部材である。具体的には、基準片１４１の両側に同じ方向に延出する上部片１４２と下部片１４３とが、一体的に成形されることによって構成されている。そして、上記のような上部片１４２および下部片１４３は、先端に向かって徐々に幅狭となるように構成されている。そこで、この間隙閉塞部材１０４の全体を金属製により構成することにより、上部片１４２および下部片１４３を板バネのように利用することができ、上部片１４２および下部片１４３の先端間隔を広げることにより、当該上部片１４２および下部片１４３は弾性変形することとなるのである。また、全体をプラスチック製とする場合においても、上部片１４２および下部片１４３を弾性変形させつつ先端間隔を広げることが可能である。
【００２８】
本実施形態は、上記のような構成であるから、水平パネル３の端縁の侵入を許容することができる。すなわち、図５の示すように、間隙閉塞部材１０４の上部片１４２および下部片１４３の先端に形成される間隙は、水平パネル３の端縁３１の肉厚寸法よりも小さくなるように構成されており、この両片１４２，１４３の先端を広げることによって当該水平パネル３の端縁３１を侵入させることができるのである。ここで、図５（ｂ）に示すように、水平パネル３の端縁３１を侵入させた状態において、上部片１４２および下部片１４３は、水平パネル３の上面３２および下面３３の表面に当接することとなり、上記先端間隔の拡張による弾性変形に伴って復元力が生じ、当該端縁３１の近傍両面３２，３３を狭着することとなるのである。さらに、この狭着状態は、上述のとおり弾性変形に伴う復元力によるものであるため、人為的に狭着位置を変化させることが可能となる。従って、現実に生じる間隙Ｂ（図１参照）に応じて、水平パネル３の端縁３１から基準片１４１までの突出長Ｔを上記間隙Ｂに合致させることによって、水平パネル３を設置した際の間隙を閉塞することができるのである。
【００２９】
次に、上記間隙閉塞部材４，１０４を使用した間隙閉塞構造の実施形態について説明する。図６は、仮設ハウスの室内の概略を示す図である。この図に示すように、水平パネル３は、室内の上下にそれぞれ床パネル１０３および天井パネル２０３との双方が設けられる。ここで、外壁材１は、上述のように（図１に示すように）、鉄骨柱２によって支持されるため、当該外壁材１の内側表面よりも鉄骨柱２の表面が内側に突出する構成となり、水平パネル３の端面を外壁材１の内側表面に最も接近させて設ける場合であっても、当該水平パネル３の端縁は、鉄骨柱２の表面に当接する状態で停止することとなる。このとき、外壁材１と水平パネル３の端縁との間に間隙が生じることとなる。
【００３０】
本実施形態では、第一に、上述した第一の間隙閉塞部材４を上記間隙に装着するものである。この状態を示しているのが、図６の下位のパネルである床パネル１０３である。図示のとおり、第一の間隙閉塞部材４の基準片４１および端縁当接片４３の両先端４１ｂ，４３ｂを先頭にして、上記間隙内に挿入することにより、端縁当接片４３が弾性変形して、間隙内に侵入することができる。そして、十分に挿入した状態において、床パネル１０３の表面に水平片４２が当接するとき、基準片４１の表面と水平片４２の表面により略Ｌ字形の巾木が形成されることとなり、上記間隙を閉塞することができるのである。
【００３１】
本実施形態の第二は、上述の第二の間隙閉塞部材１０４を使用して間隙を閉塞するものである。図６における天井パネル２０３の端縁部分が該当する。図示のとおり、第二の間隙閉塞部材１０４は、予め天井パネル２０３の端縁に装着されている。この装着は、上述のとおり、上部片１４２および下部片１４３を弾性変形させるものである。そして、天井パネル２０３の端縁を天骨柱２の表面に当接させるときに生じる間隙内において、当該第二の間隙閉塞部材１０４を天井パネル２０３の端縁から突出させるのである。このとき、第二の間隙閉塞部材１０４の基準片１４１が外壁材１の内側表面に当接していれば、間隙は閉塞することとなるが、当該間隙閉塞部材１０４の突出量が足りない場合には、その基準片１４１と外壁材１の内側表面との間に僅かながら間隙が存在することとなる。そこで、上記間隙閉塞部材１０４の突出量を十分とするために、人為的に間隙閉塞部材１０４を移動させることにより、すなわち、当該間隙閉塞部材１０４がさらに突出方向に移動させることにより、当該間隙閉塞部材１０４の基準片１４１を外壁材１の内側表面に当接させ、上記間隙を完全に閉塞するものである。
【００３２】
上記の第一および第二の間隙閉塞部材４，１０４は、一方が床パネル１０３における間隙の閉塞に、他方が天井パネル２０３における間隙の閉塞に、それぞれ使用した状態を示したが、第一の間隙閉塞部材４または第二の間隙閉塞部材１０４のいずれか一方を、床パネル１０３および天井パネル２０３の双方に使用する構成とすることが可能である。このとき、第一の間隙閉塞部材４を天井パネル２０３における間隙の閉塞に使用する場合には、図示した間隙閉塞部材４を上下反転させつつ、基準片１４１および端縁当接片１４３の両先端１４１ｂ，１４３ｂを上向きにしつつ、当該間隙内に侵入させることにより装着することができるものである。また、床パネル１０３における間隙の閉塞に第二の間隙閉塞部材１０４を使用する場合は、予め床パネル１０３の端縁に第二の間隙閉塞部材１０４を装着しておき、床パネル１０３を設置後、間隙に応じて第二の間隙閉塞部材１０４の突出量を調整することとなるものである。
【００３３】
上記のような構成であるから、仮設ハウスにおける基本的な構造において、外壁材１と平面パネル３の端縁との間に生じる間隙を容易に閉塞することができるものである。そして、第一の間隙閉塞部材４を床パネル１０３に使用する場合には、図３に示したように、水平片４２が傾斜することとなるため、小さなゴミや塵等が水平片４２と張出片４４との隙間部分に蓄積されることがなく、また、この隙間部分にモップ等の毛先が容易に侵入できることから、掃除における不具合を未然に防止し得るものである。さらに、上記構成により、仮設ハウスの解体時において、第一の間隙閉塞部材４は、張出片４４を把持して引き抜くことにより、容易に離脱でき、第二の間隙閉塞部材１０４は、水平パネル３の端縁から大きく突出させるように移動することによって容易に離脱できるものであり、これを再び他の水平パネルに使用することが可能となる。これにより、仮設ハウスに使用する部材の再利用が実現するのである。
【００３４】
本発明の各実施形態は上記のとおりであるが、本発明の趣旨を逸脱しない範囲において種々の態様をとることは可能である。例えば、各図において明確に示されてはいないものの、第一および第二の間隙閉塞部材４，１０４は、所定の長さに調整されている。すなわち、仮設ハウスを構成する鉄骨柱２は、相互の中心間距離を１８２０ｍｍで設置され、当該鉄骨柱２の幅寸法が９ｃｍであるため、上述の間隙が発生する範囲は１７３０ｍｍとなることから、上記双方の間隙閉塞部材４，１０４の長さは、いずれも１７２５ｍｍに調整している。また、第一の間隙閉塞部材４の肉厚は１．２ｍｍであり、基準片４１の先端４１ｂから張出片４４の上端までの寸法は５８ｍｍとしている。そして、水平片４２の表面は、基準片４１の先端４１ｂから３３ｍｍの位置とし、当該水平片４２と張出片４４との中間に構成される隙間部分（くびれ部分）の高さ寸法を１２ｍｍとしている。このような構成であれば、上記間隙部分（くびれ部分）に指を侵入させることが可能であるとともに、端縁当接片４３の長さ寸法が約３３ｍｍとなり、外壁材１と水平パネル３の端縁との間隙に十分侵入でき、さらに、装着後における外壁材１および水平パネル３の表面に露出する面積がいわゆる巾木と同程度となるのである。
【００３５】
また、第一の間隙閉塞部材４の基本的な形態は図２に示すとおりであるが、図７に示すように、端縁当接片４３の表面（水平パネル端縁に当接する側の表面）に微細な突出片４５を設ける構成としてもよい。図７は、（ａ）が正面図、（ｂ）が左側面図、（ｃ）が平面図、（ｄ）が背面図、（ｅ）が底面図である。この図に示すように、この突出片４５は、端縁当接片４３が水平パネルと当接することが予想できる位置に水平片４２に向かって斜状に形成されているため、端縁当接片４３の先端４３ｂを先頭に間隙に挿入した際、当該突出片４５が水平パネルの端縁に当接して引き抜きを防止することができるのである。なお、本形態は、プラスチック製で一体成型されるものであり、解体時においては、人為的に強引に引き抜くことにより離脱させることができるものである。
【００３６】
また、第二の間隙閉塞部材１０４についても図８および図９に示すような構成とすることができる。図８に示す形態は、上部片１４２および下部片１４３の先端付近対向側表面に突出部１４５を１個または複数個設けた構成としたものである。このような形態であれば、水平パネルの端縁に装着したとき、上部片１４２および下部片１４３の内側表面が水平パネル表面に当接する際、上記突出片１４５が当該パネル表面に引っ掛かることとなり、容易な離脱を防止することができることとなる。この種の構成はプラスチック製によって一体成型する場合に、弾性変形に伴う復元力によって狭着させる際の保持力を補うことに好適である。さらに、図９に示すように、上部片１４２および下部片１４３の先端部分１４２ｂ，１４３ｂを内側に折曲して、当該先端周辺を二重に構成することも可能である。この形態は、金属製材料により構成する場合、水平パネルの表面と当接すべき部分が本体表面と同じ表面となるため、当該材料を打ち抜き加工した後に折曲成型する場合においても、打ち抜き持のバリが水平パネル表面を損傷させるおそれがないものである。
【００３７】
なお、上記図８および図９の各図は、いずれも（ａ）が正面図、（ｂ）が左側面図、（ｃ）が底面図、（ｄ）が背面図である。また、図示される間隙閉塞部材１０４の長さ寸法は、いずれも第一の間隙閉塞部材４と同様に１７２５ｍｍである。そして、肉厚寸法は１ｍｍであり、基準片１４１における上部片１４２と下部片１４３との間隔は３１ｍｍ、両片の延出長さは５０ｍｍである。
【図面の簡単な説明】
【００３８】
【図１】仮設ハウスの外壁材と水平パネルの関係を示す説明図である。
【図２】第一の間隙閉塞部材の斜視図である。
【図３】第一の間隙閉塞部材の使用態様を示す説明図である。
【図４】第二の間隙閉塞部材の斜視図である。
【図５】第二の間隙閉塞部材の使用態様を示す説明図である。
【図６】間隙閉塞構造を示す説明図である。
【図７】第一の間隙閉塞部材の他の形態を示す図である。
【図８】第二の間隙閉塞部材の他の形態を示す図である。
【図９】第二の間隙閉塞部材の他の形態を示す図である。
【符号の説明】
【００３９】
１  外壁材
２  鉄骨柱
３  水平パネル
４  第一の間隙閉塞部材
２０  鉄骨柱の開口部
２１ａ，２１ｂ，２２ａ，２２ｂ  開口部先端
２３  鉄骨柱内側表面
３１  水平パネル端縁
４１  基準片
４１ａ  基準片表面
４１ｂ  基準片先端
４２  水平片
４３  端縁当接片
４３ｂ  端縁当接片先端
４４  張出片
４４ａ  張出片延出部分
４４ｂ  張出片先端
４４ｃ  折曲部
１０３  床パネル
１０４  第二の間隙閉塞部材
１４１  基準片
１４２  上部片
１４３  下部片
２０３  天井パネル
Ｂ  間隙
Ｔ  突出量
【図１】
2007327245.tif 000003
【図２】
2007327245.tif 000004
【図３】
2007327245.tif 000005
【図４】
2007327245.tif 000006
【図５】
2007327245.tif 000007
【図６】
2007327245.tif 000008
【図７】
2007327245.tif 000009
【図８】
2007327245.tif 000010
【図９】
2007327245.tif 000011